(57)【要約】【課題】リールシートの取付け部位に工夫を凝らすことによって、仕掛けの繰出しや巻き上げ操作を円滑に十分な傾斜を得ることのできる釣り竿を提供する。【解決手段】可動フード５にそのフードの軸芯Ｘ周りの複数箇所に脚取付穴５Ａ〜５Ｄを形成し、各脚取付穴５Ａ〜５Ｄにおける軸芯Ｘから脚部受止面５ａ〜５ｄまでの間隔を、異なるものに設定して、固定フード６と可動フード５に装着されるリールの傾斜姿勢を変更可能に構成してある。【選択図】図１
2010011789.tif 000002
【特許請求の範囲】
【請求項１】
リール脚の竿先側に位置する先脚部を保持する脚保持部を有する先側フードと、前記リール脚の竿元側に位置する元脚部を保持する脚保持部を有する元側フードとの少なくとも一方のフードにおいては、前記脚保持部をその一方のフードの軸芯周りの複数箇所に形成し、複数箇所に形成した前記脚保持部における前記軸芯から脚部受止面までの間隔を、異なるものに設定してあるリールシート。
【請求項２】
請求項１記載のリールシートを備えている釣り竿。
【発明の詳細な説明】
【技術分野】
【０００１】
本発明は、リール脚の竿先側に位置する先脚部を保持する脚保持部を有する先側フードと、前記リール脚の竿元側に位置する元脚部を保持する脚保持部を有する元側フードを備えるリールシートに関する。
【背景技術】
【０００２】
リール脚載置構造としては、リールシートを構成するシートベースの周方向の一箇所にリール脚載置面を設け、そのリール脚載置面にリール脚を載置し、先側フードと元側フードとでリール脚の先脚部と元脚部とを締め付け保持する構成を採っている  （特許文献１参照）。
【０００３】
【特許文献１】特開２００３−２９９４２７号公報（公報段落番号〔００１９〕〜〔００２１〕、図３〜図５）
【発明の開示】
【発明が解決しようとする課題】
【０００４】
リール脚載置面は、竿軸線に平行な平面状態に形成されているので、そのリール脚載置面に載置されたリールの取付状態は、リール脚載置面の表面状態に従った姿勢を採る。
そうすると、リールの仕様としてリール脚の部分は同一であるが、糸を巻き付けるスプールの仕様やリール脚からスプールまでの間隔等の他の部分において違いがある場合や、同一仕様のスプールを使用しているが、異なる径の糸に付け替えた場合に、釣糸ガイドを通過する際の抵抗が変化して、仕掛けの繰出しや巻き上げ操作が行い難くなることがあった。
【０００５】
本発明の目的は、リールシートの取付け部位に工夫を凝らすことによって、仕掛けの繰出しや巻き上げ操作を円滑に十分な傾斜を得ることのできるリールシート及び釣り竿を提供する点にある。
【課題を解決するための手段】
【０００６】
〔構成〕
請求項１に係る発明の特徴構成は、リール脚の竿先側に位置する先脚部を保持する脚保持部を有する先側フードと、前記リール脚の竿元側に位置する元脚部を保持する脚保持部を有する元側フードとの少なくとも一方のフードにおいては、前記脚保持部をその一方のフードの軸芯周りの複数箇所に形成し、複数箇所に形成した前記脚保持部における前記軸芯から脚部受止面までの間隔を、異なるものに設定してある点にあり、その作用効果は次の通りである。
【０００７】
〔作用〕
一方のフードにおいて、軸芯周りの複数箇所に脚保持部が設けてあり、軸芯から各脚保持部の脚部受止面までの間隔が異なるものに形成されている。これによって、他方のフードに形成した脚保持部にリールの元脚部又は先脚部の他方を載置した状態で、一方のフードに形成した複数の脚保持部のうちの一つの脚保持部に載置した場合のリールの取付姿勢と、複数の脚保持部のうちの他の脚保持部に載置した場合のリールの取付姿勢とが、異なる傾斜姿勢を示すことになる。
これによって、リールを異なる仕様のものに取り換えた場合や、釣り糸を径の異なるものに取り換えた場合には、リールの傾斜姿勢を変えるべく、前記一方のフードを軸芯周りに回転させて、軸芯から脚部受止面までの間隔が異なるものを所定位置に切り換えて、この所定位置に位置させた脚保持部にリール脚部を載置する。
【０００８】
〔効果〕
したがって、リール脚を保持するフードに、リールの取付姿勢を変更可能な脚保持部を複数個備える構成によって、仕様の異なるリールや糸径の異なる釣り糸に取り換えた場合にも、釣り操作の悪化を招来しない態様をとることができる。
これによって、好みに応じた釣り道具を使用して快適な釣りをフードでの簡単な選択変更によって行うことができた。
【０００９】
請求項２に係る発明の特徴構成は、請求項１記載のリールシートを備えている釣り竿である点にあり、その作用効果は次の通りである。
【００１０】
〔作用効果〕
釣り道具の切換えにも十分対応できるリールシートを備え、釣り操作が容易に行える釣り竿を提供できるに至った。
【発明を実施するための最良の形態】
【００１１】
釣り竿Ａは、図１に示すように、元竿２にリール脚３を保持するリールシート１を外嵌装着して構成されている。
元竿２は、基本的には、ガラス繊維かカーボン繊維等の強化繊維にエポキシ等の熱硬化性樹脂を含浸させて形成したプリプレグをマンドレルに巻回して筒状に形成した竿素材を焼成して形成されている。
【００１２】
リールシート１の構成について説明する。
リールシート１は、図１に示すように、ポリエチレン・テレフタレート（ＰＥＴ）やＡＢＳ樹脂等のエンジニアリング樹脂をインジェクションによって成型されている。リール脚３を載置するシートベース４には、リール脚３の竿先側に位置する先脚部３Ａを保持する他方のフードとしての固定フード６が一体形成されており、リール脚載置面６ｅを挟んで固定フード存在側とは反対側にリール脚３の竿元側に位置する元脚部３Ｂを保持する一方のフードとしての可動フード５が配置してある。
【００１３】
シートベース４は、中間部を図１の紙面上、下向きに膨出する大径部４Ｂと、大径部４Ｂの竿元側に小径部４Ｃとを備え、その小径部４Ｃに可動フード５を装着している。可動フード５の取付位置よりさらに竿元側に雄ネジ部４Ａが設けてあり、この雄ネジ部４Ａに可動フード５を固定フード６に向けて押し込むナット体７を螺着してある。
ここに、可動フード５とナット体７とは一体で移動するものではなく、分離された二部品である。
【００１４】
可動フード５の構造について説明する。図１及び図２に示すように、可動フード５の中心部にシートベース４の小径部４Ｃに外嵌する挿通孔５Ｅが設けてあり、可動フード５の固定フード６に対向する面に、４個の脚取付部としての第１脚取付穴５Ａ〜第４脚取付穴５Ｄが設けてある。
第１脚取付穴５Ａ〜第４脚取付穴５Ｄの断面形状は、元脚部３Ｂの断面形状に沿った略半楕円状を呈しており、軸芯Ｘに近い平面部分が脚部受止面５ａ〜５ｄに形成してある。
【００１５】
第１脚取付穴５Ａ〜第４脚取付穴５Ｄにおける脚部受止面５ａ〜５ｄから挿通孔５Ｅの軸芯Ｘまでの間隔ａ〜ｄは、ａが一番大きく、ｂｃｄの順番に小さくなっている。
一方、固定フード６においては、シートベース４に形成した平坦面をリール脚載置面６ｅとして使用している。リール脚載置面６ｅから元竿２の軸芯Ｘまでの間隔ｅは、間隔ａと同一である。リール脚載置面６ｅを覆うフード部によってリール脚３の先脚部３Ａを保持する脚保持部を形成する。
【００１６】
以上のような構成によって、リールの取付角度について説明する。図１に示すように、脚取付穴として第１脚取付穴５Ａを選定した場合には、脚部受止面５ａ〜５ｄから挿通孔５Ｅの軸芯Ｘまでの間隔は間隔ａとなり、リール脚載置面６ｅから元竿２の軸芯Ｘまでの間隔ｅと同一となる。そうすると、固定フード６と可動フード５に亘って取付けられたリールは平行状態であり、傾きはない。
【００１７】
第２脚取付穴５Ｂを選定するには、まず、ナット体７を少し緩めて可動フード５を軸芯Ｘ周りに９０度回転させて、ナット体７を締め付けて第２脚取付穴５Ｂを所定位置に設定する。この場合には、脚部受止面５ｂから挿通孔５Ｅの軸芯Ｘまでの間隔は間隔ｂとなり、間隔ａより小さくなっているので、リール脚載置面６ｅから元竿２の軸芯Ｘまでの間隔ｅよりは小となっている。
これによって、図３に示すように、リールは取付角度θが生じて、やや上向き傾斜となる。
第３脚取付穴５Ｃ、第４脚取付穴５Ｄを所定位置に設定するには、同様の操作を繰り返せばよい。
【００１８】
〔別実施の形態〕
（１）  複数の脚取付穴５Ａ〜５Ｄを形成した可動フード５を竿先側と竿元側とに配置し、両方の可動フード５でリールの先脚部３Ａと元脚部３Ｂとを保持する構成を採ってもよい。そうすると、図３で示すように、リールの傾斜姿勢を上向き傾斜とするだけでなく、下向きに傾斜する状態にも設定でき、リールの設置態様を広く採ることができる。
【００１９】
（２）  可動フード５における挿通孔５Ｅの縁部に、内向きの係合突起５ｅを突出し、シートベース４に形成した係合溝（図示せず）に前記係合突起５ｅを係合させて、可動フード５の軸芯Ｘ方向に移動自在でかつ周方向に回転不能に構成することができる。これによって、可動フード５でリール脚３を保持した際に、リールのガタツキが抑制されて、姿勢が安定する。
脚取付穴５Ａ〜５Ｄを変更する場合には、ナット体７と可動フード５とを雄ネジ部４Ａから取り外して、所望の脚取付穴５Ａ〜５Ｄを選択し、再度装着するようにする。
【００２０】
（３）  脚取付部としては、穴ではなく孔であってもよく、また、形成する個数も二個以上あればよい。
【図面の簡単な説明】
【００２１】
【図１】リールシートを示す縦断側面図
【図２】可動フードに脚取付穴を複数個形成した状態を示す正面図
【図３】リールを上向きに傾斜する状態で取り付けた状態を示す縦断側面図
【図４】可動フードの挿通孔の縁部に突起を設けた別実施構成を示す正面図
【符号の説明】
【００２２】
１  リールシート
３  リール脚
３Ａ  先脚部
３Ｂ  元脚部
４  シートベース
５  可動フード
５Ａ  第１脚取付穴（脚取付部）
５Ｂ  第２脚取付穴（脚取付部）
５Ｃ  第３脚取付穴（脚取付部）
５Ｄ  第４脚取付穴（脚取付部）
５Ｅ  挿通孔
５ａ  脚部受止面
５ｂ  脚部受止面
５ｃ  脚部受止面
５ｄ  脚部受止面
６  固定フード
ａ    脚部受止面から挿通孔の軸芯までの間隔
ｂ    脚部受止面から挿通孔の軸芯までの間隔
ｃ    脚部受止面から挿通孔の軸芯までの間隔
ｄ    脚部受止面から挿通孔の軸芯までの間隔
ｅ    リール脚載置面から元竿の軸芯までの間隔
【図１】
2010011789.tif 000003
【図２】
2010011789.tif 000004
【図３】
2010011789.tif 000005
【図４】
2010011789.tif 000006